(57)【要約】【課題】本発明によれば、マスター機器とスレーブ機器との電波環境のスキャン結果を総合してスキャン結果表示やチャンネル選定を行うことによってより精度の高いスキャン制御を可能にした電波スキャン制御システムを提供すること。【解決手段】無線ストロボ制御システムにおいてマスター機器とスレーブ機器が接続した状態で電波環境を計測するスキャン制御を行う場合、マスター機器のスキャン結果とスレーブ機器から受信したスレーブのスキャン結果とを総合してスキャン結果表示やチャンネル選定を行うことを特徴とする構成とした。【選択図】図１
2014171140.tif 000002
【特許請求の範囲】
【請求項１】
無線ストロボ制御システムにおいてマスター機器(100a）とスレーブ機器(100b)が接続した状態で電波環境を計測するスキャン制御を行う場合、マスター機器(100a）のスキャン結果とスレーブ機器(100b)から受信したスレーブのスキャン結果とを総合してスキャン結果表示(101a)やチャンネル選定(105b)を行うことを特徴とした電波スキャン制御システム。
【請求項２】
マスター機器(100a）のスキャン結果とスレーブ機器(100b)から受信したスレーブのスキャン結果をチャンネルごとに比較し、電波強度の小さい側をスキャン結果として反映させることを特徴とする請求項１に記載の電波スキャン制御システム。
【発明の詳細な説明】
【技術分野】
【０００１】
本発明は、無線通信装置を有する撮像装置アクセサリに関し、特に電波環境のスキャン制御に関するものである。
【背景技術】
【０００２】
近年、無線通信での情報の送受信を行う通信機器において、2.4GHz 近距離無線規格IEEE802.15.4 の製品が使用されている。IEEE802.15.4では、2.4GHzから2MHz帯域幅で16チャンネルが割り当てられている。しかしこの2.4GHz 周波数帯域は、ライセンス不要な帯域であり、無線LAN, Bluetooth（登録商標）,電子レンジなど様々な規格の電波を発信している製品が存在しており、これら他製品との干渉を回避して最適なチャンネルを選択していく必要がある。
【０００３】
このため、現在の機器の利用可能な度合いを利用者に表示するための技術が多く考案されている。例えば、マスター機器がマスター機器周辺の電波環境をチャンネル毎に順次スキャンをして、アンテナから受信する電波強度の測定データに基づいて、各チャンネルの干渉状態の表示や、干渉が最も少ないチャンネルへの変更を行うなどの技術が知られている(特許文献１参照）。
【先行技術文献】
【特許文献】
【０００４】
【特許文献１】特開２００９−２６０７９２号公報
【発明の概要】
【発明が解決しようとする課題】
【０００５】
電波強度は、マスター機器からの距離が長くなるにしたがい、減衰していく。
【０００６】
そのため、スレーブ機器が遠方に位置している時に、スレーブ周辺に電波を発信する機器が存在した場合は、スレーブ機器は強い干渉を受けつつも、マスターが受信する電波強度は遠距離のため弱くなる。その結果、マスタースレーブ間通信を行うには適していないチャンネルも干渉が少ないとマスター機器は誤判断してしまう可能性があった。
【０００７】
そこで、本発明の目的は、マスター機器とスレーブ機器との電波環境のスキャン結果を総合して、スキャン結果表示やチャンネル選定を行うことによってより精度の高いスキャン制御を可能にした電波スキャン制御システムを提供することである。
【課題を解決するための手段】
【０００８】
上記目的を達成するために本発明は、無線ストロボ制御システムにおいてマスター機器とスレーブ機器が接続した状態で電波環境を計測するスキャン制御を行う場合、マスター機器のスキャン結果とスレーブ機器から受信したスレーブのスキャン結果とを総合して
スキャン結果表示やチャンネル選定を行うことを特徴とする。
【発明の効果】
【０００９】
本発明によれば、マスター機器とスレーブ機器との電波環境のスキャン結果を総合してスキャン結果表示やチャンネル選定を行うことによってより精度の高いスキャン制御を可能にした電波スキャン制御システムを提供することである。
【図面の簡単な説明】
【００１０】
【図１】上記電波スキャン制御、実施例１の制御フローチャートである。
【図２】上記電波スキャン制御のストロボ１００のハードウェア構成を示すシステムブロック図である。
【図３】上記電波スキャン制御のカメラ２００とストロボ１００ａ、１００ｂで構成される本発明の一例である。
【図４】スキャン結果の表示例
【発明を実施するための形態】
【００１１】
以下に、本発明の好ましい実施の形態を、添付の図面に基づいて詳細に説明する。図１は、本発明の実施形態にかかわる上記電波スキャン制御のフローチャート、図２はストロボ制御装置のブロック図、図３はシステム構成図、図４はスキャン結果の表示例である。
【００１２】
［実施例１］
図２は本発明の実施形態にかかわるストロボ制御装置としてのストロボ１００の構成例を示すブロック図である。
【００１３】
１００は、本発明の実施形態におけるストロボを表す。１０１はストロボ１００の表示部／操作部を表す。操作部１０１によってストロボ制御部１０３や無線制御部１０５ｂに対して動作指示を行い、ストロボ１００を制御する。１０２は発光回路を表し、充電や発光制御など発光に関わる制御を行い、ストロボ制御部１０３からの発光命令を表す信号を受信することで発光する。また、ストロボ制御部１０３に対して充電完了を表す信号を送信する。１０３は上記構成のストロボを制御するストロボ制御部を表す。１０４は撮像装置とのインターフェースを表す。インターフェース１０４を介して撮像装置と通信する。
１０５はストロボ１００に搭載されている無線通信部を表す。
【００１４】
無線通信部１０５の形態として、二つ挙げられる。一つはストロボ１００に内蔵するタイプ、もう一つは無線通信部１０５をカード化して、ストロボ１００にカードスロットを設けた着脱可能型タイプの２つが想定される。本実施例では内蔵タイプで説明する。１０５ａはアンテナを表す。
【００１５】
アンテナ１０５ａは、通信相手から受信したデータを無線制御部１０５ｂへ送信をしたり無線制御部１０５ｂからデータを受け取り通信相手へ送信する、送受信の制御を行う。
【００１６】
また、無線制御部１０５ｂは操作部１０１によってスキャン制御開始指示が入力されると、アンテナ１０５ａを介してチャンネル毎に周辺の電波環境を順次スキャンすることによって電波強度の測定等も行っている。その測定結果を表示部１０１に出力する。１０５ｃは発振回路を表し、発振回路１０５ｃに接続された水晶発振子１０５ｄから生成されるクロック信号の波形を整形し、整形したクロック信号を無線通信装置１０５での各回路に出力し、同期をとる。
【００１７】
図３、４は本実施例の形態である、ストロボ１００ａがストロボ１００ｂと無線接続している場合のシステムの概略図を表す。ストロボ１００ａはマスターストロボ、ストロボ１００ｂはスレーブストロボとなる。カメラ２００とストロボ１００ａは物理的に接続しており、カメラ２００はインターフェース１０４を介してストロボ１００ａと通信を行う。１０１ａ、１０１ｂはストロボの表示／操作部で発光制御や無線制御に関する各種設定や表示を行う。
【００１８】
特にマスターストロボ１００ａにおいては、周辺の電波環境をスキャンし、その測定結果を表示部１０１ａに表示する。図４の例では横軸がチャンネル、縦軸が電波強度の値を示している。電波強度値が大きい（プロット数が多い）ほど、電波環境が良好であることを示している。２０１はカメラの表示／操作部であり、レリーズ制御や、カメラ撮影モードの切り替え設定や表示を行う。また、マスターストロボが有する情報を表示することも可能である。
【００１９】
尚、本実施例ではスレーブストロボを１台としているが、２台以上の複数台でも構わない。
【００２０】
以下、図１を参照して、本発明の第1の実施例の動作について説明する。
【００２１】
ステップＳ３０１において、操作部１０１ａのスキャン開始釦を押下するとスキャン制御を開始するためにステップＳ３０２へ移行する。
【００２２】
ステップＳ３０２では、マスターストロボ１００ａがスレーブストロボ１００ｂにスキャン制御させるための通信を行う。スレーブストロボ１００ｂはマスターストロボ１００ａからのスキャン制御通信を受信するとスレーブストロボ１００ｂの周辺の電波環境をアンテナ部１０５ａを介してスキャンを開始する。スレーブストロボの無線制御部１０５ｂで、スレーブのスキャン結果を取得し、スレーブストロボ１００ｂの不図示のRAM:SlaveScan[1-16]へ保持しておく。
【００２３】
ステップＳ３０３でマスターストロボ１００ａの周辺の電波環境をアンテナ部１０５ａを介してスキャンを開始する。マスターストロボの無線制御部１０５ｂで、マスターのスキャン結果を取得し、マスターストロボ１００ａの不図示のRAM:MasterScan[1-16]へ保持しておく。
【００２４】
ステップＳ３０４では、マスターストロボ１００ａは、スレーブストロボ１００ｂからスキャン結果を受信する。受信は、マスターストロボ、スレーブストロボ双方のスキャン制御終了後のタイミングで行うようにする。例えば、マスターストロボとスレーブストロボのスキャン開始の同期を取り、スキャン最大スキャン時間を決めておき、最大時間経過後に受信処理を行う。
【００２５】
ステップＳ３０５において、マスターストロボの無線制御部１０５ｂで、マスターストロボのスキャン結果とスレーブストロボのスキャン結果を総合してスキャン演算を行う。
【００２６】
スレーブストロボのスキャン結果SlaveScan[channel]がマスターストロボのスキャン結果 MasterScan[channel]よりも小さければ、MasterScan[channel]にSlaveScan[channel]を代入する（channel=1〜16）。このように 電波強度の弱い側の値を採用することによって、マスタースレーブ間通信を行うにあたり、有効なスキャン結果とすることが可能になる。
【００２７】
ステップＳ３０６では、ユーザー自身が所望のチャンネルへ変更を行うマニュアルチャンネル設定モード時は、ステップＳ３０７へ、自動でチャンネルを変更するオートチャンネル設定モード時は、ステップＳ３０８へ移行する。
【００２８】
ステップＳ３０７では、表示部１０１ａを用いて図４のスキャン結果（MasterScan[channel]のデータ）を表示する。その後、ユーザーは操作部１０１ａを用いることよって所望のチャンネルへ設定することが可能となる。
【００２９】
ステップＳ３０８では、無線制御部１０５ｂによって干渉が最小のチャンネル（MasterScan[channel]のデータ）へ、自動でチャンネル変更を行う。
【００３０】
以上の制御方法により、マスターストロボとスレーブストロボのスキャン結果を総合して、スキャン結果を表示させる、または、スキャン結果に基づいて最良のチャンネル設定を行うことによってより精度の高いスキャン制御をすることができる。
【００３１】
以上、本発明の好ましい実施形態について説明したが、本発明はこれらの実施形態に限定されず、その要旨の範囲内で種々の変形及び変更が可能である。
【符号の説明】
【００３２】
１００ａ  マスターストロボ
１００ｂ  スレーブストロボ
１０１ａ／１０１ｂ ストロボ表示部／操作部
１０３  ストロボ制御部
１０４  インターフェース
１０５  無線通信部
１０５ａ アンテナ
１０５ｂ  無線制御部
２００  カメラ
２０１  カメラ表示部／操作部
【図２】
2014171140.tif 000003
【図３】
2014171140.tif 000004
【図１】
2014171140.tif 000005
【図４】
2014171140.tif 000006